(57)【要約】【課題】  アドレス体系の異なるネットワークが混在して階層的に構成される制御ネットワークシステムにおいて、そのシステム内のすべての機器に対して、ネットワーク経由で、設定、管理および監視を行うネットワーク管理方法を提供する。【解決手段】  複数の異なるアドレス体系のネットワークが混在し、これらのネットワークが階層的に構成されるネットワークシステムにおけるネットワーク管理方法であって、前記異なるアドレス体系のネットワークを接続するゲートウェイ機器が、前記ネットワークシステム内の全ての機器に関して、予め設定された共通のアドレス体系に基づいて、個々の機器を識別する機器名称と、個々の機器を階層的に識別した名前情報とから構成されるアドレス情報を、アドレス情報データベースとして保有し、ネットワーク管理を行う。【選択図】          図１
2006262130.tif 000002
【特許請求の範囲】
【請求項１】
複数の異なるアドレス体系のネットワークが混在し、これらのネットワークが階層的に構成されるネットワークシステムにおけるネットワーク管理方法であって、
前記異なるアドレス体系のネットワークを接続するゲートウェイ機器が、前記ネットワークシステム内の全ての機器に関して、予め設定された共通のアドレス体系に基づいて、個々の機器を識別する機器名称と、個々の機器を階層的に識別した名前情報とから構成されるアドレス情報を、アドレス情報データベースとして保有し、ネットワーク管理を行うことを特徴とするネットワーク管理方法。
【請求項２】
前記ゲートウェイ機器は、
前記アドレス情報データベースに変更があった場合、隣接する他のアドレス情報データベースを保有するゲートウェイ機器との間で、変更のあったアドレス情報を共有することを特徴とする請求項１記載のネットワーク管理方法。
【請求項３】
前記ゲートウェイ機器は、
前記アドレス情報データベースに変更があった場合、隣接する他のアドレス情報データベースを保有するゲートウェイ機器との間で、通知、要求、応答の手順で、変更のあったアドレス情報を共有することを特徴とする請求項２記載のネットワーク管理方法。
【請求項４】
前記ゲートウェイ機器は、
前記ネットワークシステムを構成する機器及びネットワークを一つのノードと捉え、各ノードを、前記ネットワークシステムの各階層を機器とネットワークとに分けてグループ化して、ディレクトリ・ツリーで前記名前情報を保有することを特徴とする請求項１記載のネットワーク管理方法。
【請求項５】
前記ゲートウェイ機器は、
前記個々の機器を始点、前記ネットワークシステムの最上位機器を終点として、ネットワークシステムの階層の下位から上位に向かって、通信の際に経由する順番に、機器及びネットワークを並べて文字列表記して、前記名前情報を保有することを特徴とする請求項４記載のネットワーク管理方法。
【請求項６】
前記ネットワークシステムの任意の場所に接続された構成管理ツールは、
最も近くに配置された前記ゲートウェイ機器から、前記アドレス情報データベース内のすべてのアドレス情報を一括して受け渡しを行い、収集した前記アドレス情報内の前記名前情報から、各機器の配置を特定して、前記ネットワークシステムのシステム構成図を生成することを特徴とする請求項１記載のネットワーク管理方法。
【請求項７】
前記構成管理ツールと前記ゲートウェイ機器との間で、前記アドレス情報を一括して受け渡しを行う場合、
前記ゲートウェイ機器から前記構成管理ツールに対して、送付するアドレス情報の個数を通知し、前記構成管理ツールから前記ゲートウェイ機器に対して、受け取ったアドレス情報の個数を通知することを特徴とする請求項６のネットワーク管理方法。
【請求項８】
複数の異なるアドレス体系のネットワークが混在し、これらのネットワークが階層的に構成されるネットワークシステムにおける、前記異なるアドレス体系のネットワークを接続するゲートウェイ機器であって、
前記ネットワークシステム内の全ての機器に関して、予め設定された共通のアドレス体系に基づいて、個々の機器を識別する機器名称と、個々の機器を階層的に識別した名前情報とから構成されるアドレス情報を、アドレス情報データベースとして保有することを特徴とするゲートウェイ機器。
【発明の詳細な説明】
【技術分野】
【０００１】
この発明は、アドレス体系の異なるネットワークが混在して階層的に構成される制御ネットワークシステムにおいて、そのシステム内のすべての機器を、ネットワーク経由で一元的に管理するネットワーク管理方法及びゲートウェイ機器に関するものである。
【背景技術】
【０００２】
従来のネットワーク監視方式においては、ネットワークシステム上に接続されている通信機器やネットワーク状態を監視するために、ネットワーク監視装置から見て、各通信機器に付与されたＩＰアドレスがどの経路をたどっているのかを記憶する。そのため、この方法では、ＩＰアドレス毎に、ネットワーク監視装置に到達するための次のＩＰアドレス（親アドレス）を明確に定義し、管理情報として、ネットワーク監視装置内に保持する。（例えば、特許文献１参照）
【０００３】
【特許文献１】特開２００１−０８６１１７号公報
【発明の開示】
【発明が解決しようとする課題】
【０００４】
上記のような従来のネットワーク監視方式では、ＩＰネットワークのように、ネットワークシステムが一つのアドレス体系を用いていることが前提である。しかし、アドレス体系の異なるネットワークが混在して階層的に構成される制御ネットワークシステムでは、ネットワーク毎にアドレス体系が独自であり、ＩＰネットワークのように機器を一意に識別できない。そのため、システム内に通信不能な機器の組み合わせが存在するという課題がある。
【０００５】
また、制御ネットワークシステムでは、機器の故障が発生した場合に、その部分を新しい機器と交換した後に、その新しい機器が即座に以前と同様に操作できることを望んでいる。しかし、従来のネットワーク監視方式のように、ＩＰアドレス毎に一つ前のＩＰアドレスを管理しているだけでは、ネットワーク監視装置に到達するまでの経路を求めるための処理が必要になるという課題がある。
【０００６】
また、ネットワーク構成の基準（起点）をネットワーク監視装置に設定すると、ネットワーク監視装置を接続した位置によって、管理情報の内容が変わってしまうケースがある。そのため、ネットワーク監視装置を移動する度に、管理情報を作成し直さなければならなくなるという課題もある。 
【０００７】
この発明は、上述のような課題を解決するためになされたものであり、第一の目的は、アドレス体系の異なるネットワークが混在して階層的に構成される制御ネットワークシステムにおいて、そのシステム内のすべての機器に対して、ネットワーク経由で、設定、管理および監視できることである。
【０００８】
第二の目的は、構成管理ツールが、制御ネットワークシステムの任意の場所から扱うことができ、かつ、構成管理ツールを接続した位置によらずに、制御ネットワークシステムのシステム構成が同一に見えることである。
【０００９】
第三の目的は、機器の故障が発生した場合に、その部分を新しい機器と交換した後、その新しい機器が即座に以前と同様に操作できることである。
【００１０】
第四の目的は、構成管理のために発生する通信による、制御ネットワークシステムにおいて重要である工程情報や制御情報を受け渡しするための通信に対する影響を少なくすることである。
【課題を解決するための手段】
【００１１】
本発明にかかわるネットワーク管理方法は、複数の異なるアドレス体系のネットワークが混在し、これらのネットワークが階層的に構成されるネットワークシステムにおけるネットワーク管理方法であって、前記異なるアドレス体系のネットワークを接続するゲートウェイ機器が、前記ネットワークシステム内の全ての機器に関して、予め設定された共通のアドレス体系に基づいて、個々の機器を識別する機器名称と、個々の機器を階層的に識別した名前情報とから構成されるアドレス情報を、アドレス情報データベースとして保有し、ネットワーク管理を行うものである。
【発明の効果】
【００１２】
複数の異なるアドレス体系のネットワークが混在し、これらのネットワークが階層的に構成されるネットワークシステムにおけるネットワーク管理方法であって、前記異なるアドレス体系のネットワークを接続するゲートウェイ機器が、前記ネットワークシステム内の全ての機器に関して、予め設定された共通のアドレス体系に基づいて、個々の機器を識別する機器名称と、個々の機器を階層的に識別した名前情報とから構成されるアドレス情報を、アドレス情報データベースとして保有し、ネットワーク管理を行うことにより、アドレス体系の異なるネットワークが混在して階層的に構成される制御ネットワークシステムにおいて、そのシステム内のすべての機器に対して、ネットワーク経由で、設定、管理および監視を行うことができる。
【発明を実施するための最良の形態】
【００１３】
実施の形態１．
図１は、本発明のネットワーク管理方法を適用する制御ネットワークシステム１の構成図を示すものである。
【００１４】
制御ネットワークシステム１は、装置レベル２、ステーションレベル３、セルレベル４と階層的に構成される。装置レベル２ではフィールドネットワーク５、６と、ステーションレベル３ではコントローラネットワーク７、セルレベル４では情報ネットワーク８と、アドレス体系の異なるネットワークを使用する。
【００１５】
装置Ａ９、装置Ｂ１０、装置Ｃ１１は、装置レベル２に該当する機器であり、フィールドネットワーク５、６に接続される。これらの機器の例として、ロボット、ライン装置、ＮＣ装置、コンベア装置などが挙げられる
【００１６】
制御機Ａ１２、制御機Ｂ１３、制御機Ｃ１４、制御機Ｄ１５は、ステーションレベル３に該当する機器であり、組立加工自動機、自動試験機、搬送機などの生産ラインでの制御・操作指示を行う。例えば、制御機Ｂ１３はフィールドネットワーク５により接続された装置Ａ９を制御し、制御機Ｄ１５はフィールドネットワーク６により接続された装置Ｂ１０と装置Ｃ１１を制御する。
【００１７】
また、制御ネットワークシステム１内の機器のうち、二つ以上の異種ネットワークを接続するゲートウェイ機能を有する機器を、情報共有機器と示す。図１の例では、情報ネットワーク８とコントローラネットワーク７に接続された制御機Ａ１２、コントローラネットワーク７とフィールドネットワーク５に接続された制御機Ｂ１３、および、情報ネットワーク８とフィールドネットワーク６に接続された制御機Ｄが、情報共有機器に該当する。
【００１８】
セル１６は、セルレベル４に該当する機器であり、情報ネットワーク８に接続され、生産ラインを構成する各装置を管理する。例えば、セル１６は、制御機Ａ１２、制御機Ｂ１３、制御機Ｃ１４、制御機Ｄ１５を制御して、装置Ａ９、装置Ｂ１０、装置Ｃ１１を操作する。
【００１９】
図２は、アドレス情報２０を示す図である。制御ネットワークシステム１内のすべての機器（装置Ａ９〜装置Ｃ１１、制御機Ａ１２〜制御機Ｄ１５、セル１６）は、自身に関するアドレス情報２０を、機器内に保有する。
【００２０】
アドレス情報２０は、ネットワークアドレス２１、識別番号２２、機器名称２３、名前情報２４から構成される。ネットワークアドレス２１は、その機器が接続しているネットワークのアドレス体系に基づいて割り当てられるアドレスである。例えば、装置Ａ９は、フィールドネットワーク５に接続されるため、アドレス体系Ａに基づいたアドレスが割り当てられる。また、制御機Ｃ１４は、コントローラネットワーク７に接続されるため、アドレス体系Ｂに基づいたアドレスが割り当てられる。また、セル１６は、情報ネットワーク８に接続されるため、アドレス体系Ｃに基づいたアドレスが割り当てられる。
【００２１】
識別番号２２は、制御ネットワークシステム１における共通のアドレス体系に基づいて割り当てられた、機器を区別するための識別子である。
【００２２】
本発明のネットワーク管理方法では、制御ネットワークシステム１における共通のアドレス体系を用いて、ネットワークの種類によるアドレス体系の違い（フィールドネットワーク５、６ではアドレス体系Ａ、コントローラネットワーク７ではアドレス体系Ｂ、情報ネットワーク８ではアドレス体系Ｃと異なる）を隠蔽し、制御ネットワークシステム１内のすべての機器に、一意に識別番号２２を割り当てる。このような共通のアドレス体系の割り当ては、予めネットワーク管理者等により行われる。
【００２３】
機器名称２３は、各機器に付けられた名称である。名前情報２４は、制御ネットワークシステム１内における各機器の実際の配置を表現する文字列である。
【００２４】
図３は、ネットワーク管理方法におけるアドレス情報の基本アーキテクチャ３０を示す。基本アーキテクチャ３０は、制御ネットワークシステム１の階層構造を、ディレクトリ・ツリーを用いて、論理的に表現したものである。
【００２５】
本発明のネットワーク管理方法では、制御ネットワークシステム１を構成する機器およびネットワークを、一つのノードと捉える。例えば、図１の制御ネットワークシステム１の機器およびネットワークを、図４のように表現する。［請求項４］
【００２６】
図３において、ノードＤＥＶ＃ａ３１は装置Ａ９を、ノードＤＥＶ＃ｂ３２は装置Ｂ１０を、ノードＤＥＶ＃ｃ３３は装置Ｃ１１を示す。ノードＮＥＴ＃ａ３４はフィールドネットワーク５を、ノードＮＥＴ＃ｂ３５はフィールドネットワーク６を示す。ノードＣＮＴ＃ａ３６は制御機Ａ１２を、ノードＣＮＴ＃ｂ３７は制御機Ｂ１３を、ノードＣＮＴ＃ｃ３８は制御機Ｃ１４を、ノードＣＮＴ＃ｄ３９は制御機Ｄ１５を示す。ノードＮＥＴ＃ｃ４０は、コントローラネットワーク７を示す。ノードＮＥＴ＃ｄ４１は、情報ネットワーク８を示す。ノードＳＥＬ＃ａ４２は、セル１６を示す。
【００２７】
また、本発明のネットワーク管理方法では、各ノードを、制御ネットワークシステム１の階層毎に、機器とネットワークを分けて、それぞれグループ化して、オブジェクトクラスとして定義する。そして、そのオブジェクトクラスに、システム内で一意のグループ名を付与する。例えば、図１の制御ネットワークシステム１では、図４のようにグループ化する。［請求項４］
【００２８】
オブジェクトクラスＬ１ＤＥＶ５１は、装置レベル２の機器の集合である。図３の例では、ノードＤＥＶ＃ａ３１、ノードＤＥＶ＃ｂ３２、ノードＤＥＶ＃ｃ３３が該当する。オブジェクトクラスＦＮＥＴ５２は、フィールドネットワーク５、６の集合である。図３の例では、ノードＮＥＴ＃ａ３４、ノードＮＥＴ＃ｂ３５が該当する。
【００２９】
オブジェクトクラスＬ２ＬＤＥＶ５３は、ステーションレベル３の機器の内、情報ネットワーク８に接続されていない機器の集合である。図３の例では、ノードＣＮＴ＃ｂ３７、ノードＣＮＴ＃ｃ３８が該当する。オブジェクトクラスＣＮＥＴ５４は、コントローラネットワーク７の集合である。図３の例では、ノードＮＥＴ＃ｃ４０が該当する。オブジェクトクラスＬ２ＵＤＥＶ５５は、ステーションレベル３の機器の内、情報ネットワーク８に接続されている機器の集合である。図３の例では、ノードＣＮＴ＃ａ３６、ノードＣＮＴ＃ｄ３９が該当する。
【００３０】
オブジェクトクラスＩＮＥＴ５６は、情報ネットワーク８の集合である。図３の例では、ノードＮＥＴ＃ｄ４１が該当する。オブジェクトクラスＬ３ＤＥＶ５７は、セルレベル４の機器の集合である。図３の例では、ノードＳＥＬ＃ａ４２が該当する。
【００３１】
ネットワーク管理方法では、上記で定義したアドレス情報２０の基本アーキテクチャ３０を用いて、図２のように制御ネットワークシステム１内の各機器の名前情報２４を付与する。
【００３２】
各機器の名前情報２４は、階層の下位から開始し、上位に向かって、通信の際に経由する順番に、「グループ名＝機器名称２３」を並べて文字列表記する。また、この名前情報２４の基準（名前情報２４の末尾に付与する）は、制御ネットワークシステム１の最上位機器（セルレベル４の機器）とする。図１の例では、名前情報２４の基準はセル１６となる。［請求項５］
【００３３】
例えば、機器名称がＤＥＶ＃ａである装置Ａ９の名前情報２４は、「Ｌ１ＤＥＶ＝ＤＥＶ＃ａ、ＦＮＥＴ＝ＮＥＴ＃ａ、Ｌ２ＬＤＥＶ＝ＣＮＴ＃ｂ、ＣＮＥＴ＝ＮＥＴ＃ｃ、Ｌ２ＵＤＥＶ＝ＣＮＴ＃ａ、ＩＮＥＴ＝ＮＥＴ＃ｄ、Ｌ３ＤＥＶ＝ＳＥＬ＃ａ」となる。
【００３４】
このように、機器だけでなく、ネットワークも一つのノードとして捉えることにより、名前情報２４に、各機器から最上位装置までの経路を明記することができる。［請求項４の効果］
【００３５】
これにより、名前情報２４から、制御ネットワークシステム１内での各機器の配置を特定することができる。そのため、故障により新規の機器に交換した場合でも、新規の機器に対して機器名称２３さえ指定すれば、前の機器と同一環境で動作させることが可能になる。［請求項５の効果］
【００３６】
図４は、アドレス情報データベース６０を示す図である。アドレス情報データベース６０は、制御ネットワークシステム１上のすべての機器のアドレス情報２０を保管するデータベースである。このアドレス情報データベース６０は、制御ネットワークシステム１上のすべてのゲートウェイ機器が保有する（以降、アドレス情報データベース６０を保有するゲートウェイ機器を、情報共有機器と称する）。
【００３７】
制御ネットワークシステム１の例では、アドレス情報データベース６０は、装置Ａのアドレス情報６１、装置Ｂのアドレス情報６２、装置Ｃのアドレス情報６３、制御機Ａのアドレス情報６４、制御機Ｂのアドレス情報６５、制御機Ｃのアドレス情報６６、制御機Ｄのアドレス情報６７、セルのアドレス情報６８から構成される。
【００３８】
本発明のネットワーク管理方法は、制御ネットワークシステム１上のすべての情報共有機器（制御機Ａ１２、制御機Ｂ１３、制御機Ｄ１５が該当）に、アドレス情報データベース６０として、制御ネットワークシステム１上のすべての機器のアドレス情報２０を持たせる。［請求項１］
【００３９】
以上のように、制御ネットワークシステム１内の複数の情報共有機器に、同一のアドレス情報データベース６０を分散して保有させることで、アドレス情報２０を必要とする機器は、一番近くにある情報共有機器からアドレス情報２０を収集すれば良い。そのため、アドレス情報２０を獲得するために必要な通信量を軽減することができる。［請求項１の効果］
【００４０】
本発明のネットワーク管理方法は、アドレス情報２０の追加、アドレス情報２０の削除、または、アドレス情報２０の内容変更により、アドレス情報データベース６０に変更があった場合、隣接する他の情報共有機器との間で、変更のあったアドレス情報２０のみの受け渡しを行い、定常状態ではアドレス情報データベース６０の内容が同一になるように同期をとる。［請求項２］
【００４１】
図５は、情報共有機器７０、７１間のアドレス情報データベース６０を同期する手順を示す。図５では、情報共有機器７１のアドレス情報データベース６０内の情報に変更があった場合の例を示す。
【００４２】
情報共有機器７１は、自身の保有するアドレス情報データベース６０内に変更があった場合には、主導的に、隣接する情報共有機器７０に対して、そのアドレス情報２０を渡して、アドレス情報データベース６０の同期をとる。
【００４３】
この時、情報共有機器７１は、情報共有機器７０に対して、変更のあったアドレス情報２０を即座に送るのではなく、情報共有機器７０と情報共有機器７１間で、（１）通知、（２）要求、（３）応答の３フェーズの手順を経て、アドレス情報２０を受け渡す。［請求項３の効果］
【００４４】
まず、情報共有機器７１は、自身の保有するアドレス情報データベース６０内のいずれかのアドレス情報２０に変更があったことを検出すると、変更があった旨を、隣接する情報共有機器７０に通知する（ステップ７２）。この時点では、アドレス情報２０の受け渡しは行わない。
【００４５】
次に、変更通知を受けた情報共有機器７０は、ステップ７２で変更通信を行った情報共有機器７１に対して、変更のあったアドレス情報２０を送付するように要求する（ステップ７３）。
【００４６】
最後に、変更されたアドレス情報２０の送付要求を受けた情報共有機器７１は、ステップ７３でアドレス情報２０の送付要求をした情報共有機器７０に対して、要求されたアドレス情報２０を応答する（ステップ７４）。この時点で、アドレス情報２０の受け渡しが完了する。
【００４７】
以上のように、アドレス情報２０の受け渡しのための通信は、アドレス情報データベース６０に変更があった場合のみに抑えることができ、制御ネットワークシステム１の各ネットワークを流れる構成管理のための通信量を軽減することができる。［請求項２の効果］
【００４８】
また、アドレス情報２０の受け渡しは、情報共有機器間で、通知、要求、応答の３フェーズの手順を踏むことにより、アドレス情報２０の受け渡しを確実に行うことができる。それにより、アドレス情報データベース６０を同期するために、定期的にアドレス情報２０の交換をする必要がなく、制御ネットワークシステム１の各ネットワークを流れる構成管理のための通信量を軽減することができる。［請求項３の効果］
【００４９】
それにより、制御ネットワークシステム１において重要である工程情報やコントローラ間の制御情報などの通信に及ぼす影響を少なくすることができる。［請求項２、請求項３の効果］
【００５０】
なお、本実施の形態１では、情報共有機器（制御機Ａ１２、制御機Ｂ１３、制御機Ｄ１５が該当）が隣接する場合について説明したが、情報共有機器の間にアドレス情報データベースを持たない制御機器等が接続されていてもよく、このようなアドレス情報データベースを持たない制御機器は、情報共有機器間で受け渡しされるアドレス情報を転送すればよい。このような場合も、情報共有機器はアドレス情報の受け渡しができるため、隣接されている状態であると言える。
【００５１】
実施の形態２．
図６は、本発明の別の実施例であり、制御ネットワークシステム１に構成管理ツール８０を接続した場合の構成図である。実施の形態２は、構成管理ツール８０が、情報ネットワーク８に接続された場合の例である。図６において、１〜１６は実施の形態１と同一である。
【００５２】
構成管理ツール８０は、制御ネットワークシステム１の構成情報の管理を行うツールであり、システム構成の画面表示や、制御ネットワークシステム１上の任意の機器に対する設定、制御、監視、診断などを行う。構成管理ツール８０は、これらの機能の内、制御ネットワークシステム１のシステム構成を画面表示する場合、制御ネットワークシステム1内のすべての機器のアドレス情報２０が必要である。
【００５３】
そのため、本発明のネットワーク管理方法では、構成管理ツール８０は、情報共有機器から、アドレス情報データベース６０内のすべてのアドレス情報２０を一括収集する手順を用意する。
【００５４】
この時、すべての情報共有機器の保有するアドレス情報データベース６０は同一であるため、構成管理ツール８０は、アドレス情報データベース６０にアクセスする際、最も近くに配置された情報共有機器に問い合わせれば良い。［請求項６］
【００５５】
図７は、構成管理ツール８０が、情報共有機器９０からアドレス情報データベース６０を一括収集する手順を示す。
【００５６】
まず、構成管理ツール８０は、最も近くに配置された情報共有機器９０に対して、アドレス情報データベース６０内のすべてのアドレス情報２０を一括して要求する（ステップ９１）。
【００５７】
次に、アドレス情報２０の一括要求を受けた情報共有機器９０は、ステップ９１で一括要求を行った構成管理ツール８０に対して、アドレス情報データベース６０内に保有されるアドレス情報２０の個数を通知する（ステップ９２）。［請求項７］
【００５８】
情報共有機器９０は、ステップ９２のアドレス情報２０の個数の通知に引き続いて、構成管理ツール８０に対して、アドレス情報データベース６０内に保有されるすべてのアドレス情報２０を送付する（ステップ９３）。
【００５９】
次に、構成管理ツール８０は、ステップ９２で通知された個数分のアドレス情報２０を受けた時点で、情報共有機器９０に対して、受け取ったアドレス情報２０の個数を通知する（ステップ９４）。この時点で、アドレス情報２０の受け渡しが完了する。［請求項７］
【００６０】
最後に、構成管理ツール８０は、ステップ９３で受け取ったアドレス情報２０内の名前情報２４から、各機器の配置を特定して、制御ネットワークシステム１のシステム構成図を画面表示する（ステップ９５）。
【００６１】
以上のように、アドレス情報２０の受け渡しは、構成管理ツール８０と情報共有機器９０間で、保有するアドレス情報２０の個数と、受け取ったアドレス情報２０の個数を通知し合うことにより、アドレス情報２０の受け渡しを確実に行うことができる。［請求項７の効果］
【００６２】
また、同一のアドレス情報データベース６０を複数の情報共有機器９０に分散させることで、構成管理ツール８０は、最も近くの情報共有機器９０から、アドレス情報２０を収集することができるため、構成管理ツール８０がシステム全体を把握するために発生する通信の範囲が狭くすることができる。それにより、制御ネットワークシステム１の各ネットワークを流れる構成管理のための通信量を軽減できるとともに、構成管理ツール８０にシステム構成を表示するまでの時間を短縮できる。［請求項６の効果］
【００６３】
実施の形態３．
図８は、制御ネットワークシステム１に構成管理ツール８０を接続した場合の別の構成図である。実施の形態３は、構成管理ツール８０が、コントローラネットワーク７に接続された場合の例である。図において、１〜１６および８０は実施の形態２と同一である。
【００６４】
構成管理ツール８０は、接続する位置が、情報ネットワーク８からコントローラネットワーク７に変更になっても、処理内容は実施の形態２で示した手順と同一である。唯一の違いは、構成管理ツール８０が問い合わせをする情報共有機器９０が変更になる点である。［請求項６］
【００６５】
実施の形態４．
図９は、制御ネットワークシステム１に構成管理ツール８０を接続した場合の別の構成図である。実施の形態４は、構成管理ツール８０が、フィールドネットワーク５に接続された場合の例である。図において、１〜１６および８０は実施の形態２と同一である。
【００６６】
構成管理ツール８０は、接続する位置が、情報ネットワーク８からフィールドネットワーク５に変更になっても、処理内容は実施の形態２で示した手順と同一である。唯一の違いは、構成管理ツール８０が問い合わせをする情報共有機器９０が変更になる点である。［請求項６］
【００６７】
実施の形態３および実施の形態４のように、同一のアドレス情報データベース６０を複数の情報共有機器９０に分散させることで、構成管理ツール８０は、最も近くの情報共有機器９０から、アドレス情報２０を収集することができる。そのため、構成管理ツール８０を、制御ネットワークシステム１の任意の場所から扱うことができる。［請求項６の効果］
【図面の簡単な説明】
【００６８】
【図１】本発明のネットワーク管理方法を適用する制御ネットワークシステムを示す構成図
【図２】アドレス情報の構成を示す説明図
【図３】本発明のネットワーク管理方法におけるアドレス情報の基本アーキテクチャを示す説明図
【図４】アドレス情報データベースの構成を示す説明図
【図５】情報共有機器間のアドレス情報データベースを同期する手順を示す説明図
【図６】本発明の制御ネットワークシステムに構成管理ツールを接続した場合の構成図
【図７】構成管理ツールが情報共有機器からアドレス情報データベースを一括収集する手順を示す説明図
【図８】本発明の制御ネットワークシステムに構成管理ツールを接続した場合の構成図
【図９】本発明の制御ネットワークシステムに構成管理ツールを接続した場合の構成図
【符号の説明】
【００６９】
１  制御ネットワークシステム
２  装置レベル
３  ステーションレベル
４  セルレベル
５、６  フィールドネットワーク
７  コントローラネットワーク
８  情報ネットワーク
９、１０、１１  装置
１２、１３、１４、１５  制御機
１６  セル
２０  アドレス情報
２１  ネットワークアドレス
２２  識別番号
２３  機器名称
２４  名前情報
６０  アドレス情報データベース
６１、６２、６３  装置のアドレス情報
６４、６５、６６、６７  制御機のアドレス情報
６８  セルのアドレス情報
７０、７１  情報共有機器
８０  構成管理ツール
９０  情報共有機器
【図１】
2006262130.tif 000003
【図２】
2006262130.tif 000004
【図３】
2006262130.tif 000005
【図４】
2006262130.tif 000006
【図５】
2006262130.tif 000007
【図６】
2006262130.tif 000008
【図７】
2006262130.tif 000009
【図８】
2006262130.tif 000010
【図９】
2006262130.tif 000011